(57)【特許請求の範囲】
【請求項１】
映像データと、前記映像データにおける輝度レベルの圧縮に関する情報を取得する取得部と、
前記情報に基づき、前記映像データにおける輝度レベルの圧縮を伸張する圧縮伸張部と
を備え、
前記情報は、圧縮されている輝度レベルの下限値を示す情報を少なくとも含み、
前記映像データにおける輝度レベルの圧縮は、映像信号の規格により決められた輝度レベルの範囲に収める圧縮である映像処理装置。
【請求項２】
前記情報は、圧縮されている輝度レベルの傾きを示す情報を少なくとも含む、請求項１に記載の映像処理装置。
【請求項３】
前記情報は、赤の輝度レベル、緑の輝度レベル、青の輝度レベル各々の圧縮に関する情報を少なくとも含む、請求項１に記載の映像処理装置。
【請求項４】
前記圧縮伸張部により伸張した映像データに基づきバックライト輝度を決定するエリアアクティブ制御部を備える請求項１に記載の映像処理装置。
【請求項５】
映像データにおける輝度レベルの圧縮をする輝度圧縮部と、
前記映像データと、前記輝度圧縮部における輝度レベルの圧縮に関する情報を出力する出力部と
を備え、
前記情報は、圧縮されている輝度レベルの下限値を示す情報を少なくとも含み、
前記映像データにおける輝度レベルの圧縮は、映像信号の規格により決められた輝度レベルの範囲に収める圧縮である映像処理装置。
【請求項６】
映像データと、前記映像データにおける輝度レベルの圧縮に関する情報を取得する第１の工程と、
前記情報に基づき、前記映像データにおける輝度レベルの圧縮を伸張する第２の工程と
を有し、
前記情報は、圧縮されている輝度レベルの下限値を示す情報を少なくとも含み、
前記映像データにおける輝度レベルの圧縮は、映像信号の規格により決められた輝度レベルの範囲に収める圧縮である映像処理方法。
【請求項７】
前記第２の工程により伸張した映像データに基づきバックライト輝度を決定する第３の工程を有する請求項６に記載の映像処理方法。
【請求項８】
映像データにおける輝度レベルの圧縮をする第１の工程と、
前記映像データと、前記第１の工程における輝度レベルの圧縮に関する情報を出力する第２の工程と
を有し、
前記情報は、圧縮されている輝度レベルの下限値を示す情報を少なくとも含み、
前記映像データにおける輝度レベルの圧縮は、映像信号の規格により決められた輝度レベルの範囲に収める圧縮である映像処理装置。
【請求項９】
コンピュータを、
映像データと、前記映像データにおける輝度レベルの圧縮に関する情報を取得する取得部、
前記情報に基づき、前記映像データにおける輝度レベルの圧縮を伸張する圧縮伸張部
として機能させるためのプログラムであって、
前記映像データにおける輝度レベルの圧縮は、映像信号の規格により決められた輝度レベルの範囲に収める圧縮であるプログラム。
【請求項１０】
前記コンピュータを、さらに
前記圧縮伸張部により伸張した映像データに基づきバックライト輝度を決定するエリアアクティブ制御部
として機能させるための請求項９に記載のプログラム。
【請求項１１】
コンピュータを
映像データにおける輝度レベルの圧縮をする輝度圧縮部、
前記映像データと、前記輝度圧縮部における輝度レベルの圧縮に関する情報を出力する出力部
として機能させるためのプログラムであって、
前記情報は、圧縮されている輝度レベルの下限値を示す情報を少なくとも含み、
前記映像データにおける輝度レベルの圧縮は、映像信号の規格により決められた輝度レベルの範囲に収める圧縮であるプログラム。
【発明の詳細な説明】
【技術分野】
【０００１】
本発明は、映像処理装置、映像処理方法およびプログラムに関する。
【背景技術】
【０００２】
従来の液晶ディスプレイは、液晶パネルに対して複数の領域に分割して照明光を出す光源を有するバックライトと、液晶パネルへの画像信号に応じて光源の輝度を分割単位毎に制御する制御手段とを備え、ある領域の周辺領域を点灯された領域の輝度よりも小さい輝度でバックライトを点灯させることにより、黒浮きを防止することができる（特許文献１参照）。
【先行技術文献】
【特許文献】
【０００３】
【特許文献１】特開２００８−０５１９０５号公報
【発明の概要】
【発明が解決しようとする課題】
【０００４】
しかしながら、従来の液晶ディスプレイにおいては、映像データに基づき映像を表示したときに、元の映像の輝度が再現できていないときがあるという問題がある。
【０００５】
本発明は、このような事情に鑑みてなされたもので、従来よりも良好な、輝度の再現性を得ることが出来る映像処理装置、映像処理方法およびプログラムを提供する。
【課題を解決するための手段】
【０００６】
（１）この発明は上述した課題を解決するためになされたもので、本発明の一態様は、映像データと、前記映像データにおける輝度レベルの圧縮に関する情報を取得する取得部と、前記情報に基づき、前記映像データにおける輝度レベルの圧縮を伸張する圧縮伸張部とを備える映像処理装置である。
【０００７】
（２）また、本発明の他の態様は、（１）に記載の映像処理装置であって、前記情報は、圧縮されている輝度レベルの下限値を示す情報を少なくとも含む。
【０００８】
（３）また、本発明の他の態様は、（１）に記載の映像処理装置であって、前記情報は、圧縮されている輝度レベルの傾きを示す情報を少なくとも含む。
【０００９】
（４）また、本発明の他の態様は、（１）に記載の映像処理装置であって、前記情報は、赤の輝度レベル、緑の輝度レベル、青の輝度レベル各々の圧縮に関する情報を少なくとも含む。
【００１０】
（５）また、本発明の他の態様は、映像データにおける輝度レベルの圧縮をする輝度圧縮部と、前記映像データと、前記輝度圧縮部における輝度レベルの圧縮に関する情報を出力する出力部とを備える映像処理装置である。
【００１１】
（６）また、本発明の他の態様は、映像データと、前記映像データにおける輝度レベルの圧縮に関する情報を取得する第１の工程と、前記情報に基づき、前記映像データにおける輝度レベルの圧縮を伸張する第２の工程とを有する映像処理方法である。
【００１２】
（７）また、本発明の他の態様は、映像データにおける輝度レベルの圧縮をする第１の工程と、前記映像データと、前記第１の工程における輝度レベルの圧縮に関する情報を出力する第２の工程とを有する映像処理方法である。
【００１３】
（８）また、本発明の他の態様は、コンピュータを、映像データと、前記映像データにおける輝度レベルの圧縮に関する情報を取得する取得部、前記情報に基づき、前記映像データにおける輝度レベルの圧縮を伸張する圧縮伸張部として機能させるためのプログラムである。
【００１４】
（９）また、本発明の他の態様は、コンピュータを、映像データにおける輝度レベルの圧縮をする輝度圧縮部、前記映像データと、前記輝度圧縮部における輝度レベルの圧縮に関する情報を出力する出力部として機能させるためのプログラムである。
【発明の効果】
【００１５】
この発明によれば、従来よりも良好な、輝度の再現性を得ることが出来る。
【図面の簡単な説明】
【００１６】
【図１】第１の実施形態における映像表示システム１００の構成を示す概略ブロック図である。
【図２】同実施形態における撮像部１１の輝度レベルの入出力特性の例を示すグラフである。
【図３】同実施形態におけるガンマ補正部１２の輝度レベルの入出力特性の例を示すグラフである。
【図４】同実施形態における高輝度圧縮部１３の輝度レベルの入出力特性の例を示すグラフである。
【図５】同実施形態における撮像装置１０の輝度レベルの入出力特性の例を示すグラフである。
【図６】同実施形態における高輝度伸張部２２の輝度レベルの入出力特性の例を示すグラフである。
【図７】同実施形態におけるガンマ補正部３１の輝度レベルの入出力特性の例を示すグラフである。
【図８】同実施形態における映像表示システム１００の輝度レベルの入出力特性の例を示すグラフである。
【図９】第２の実施形態による映像表示システム１００ａの構成を示す概略ブロック図である。
【図１０】第３の実施形態による映像表示システム１００ｂの構成を示す概略ブロック図である。
【図１１】第４の実施形態による映像表示システム１００ｃの構成を示す概略ブロック図である。
【図１２】第５の実施形態による映像表示システム１００ｄの構成を示す概略ブロック図である。
【図１３】第６の実施形態による映像・圧縮情報出力部１４の構成を示す概略ブロック図である。
【図１４】同実施形態における映像圧縮情報取得部２１の構成を示す概略ブロック図である。
【図１５】同実施形態におけるＭＰＴのデータ構造の一例を示す図である。
【図１６】同実施形態における映像コンポーネント記述子のデータ構造の一例を示す図である。
【図１７】同実施形態における輝度レベルの圧縮に関する情報の例を示す表である。
【発明を実施するための形態】
【００１７】
［第１の実施形態］
以下、図面を参照して、本発明の第１の実施形態について説明する。図１は、本実施形態による映像表示システム１００の構成を示す概略ブロック図である。本実施形態における映像表示システム１００は、撮像装置１０、映像処理装置２０、表示装置３０を含む。なお、映像処理装置２０と、表示装置３０とは、別装置であってもよいし、これらを含んで表示装置４０が構成されていてもよい。撮像装置１０と、映像処理装置２０とは、ＨＤＭＩ（登録商標）ケーブルなどの映像伝送用ケーブルで接続されていてもよいし、メモリカード、Ｂｌｕ−ｒａｙ（登録商標）などの可搬媒体により、間接的に接続されていてもよいし、インターネット、移動体通信網、放送ネットワークなどのネットワークにより接続されていてもよい。撮像装置１０は、撮像部１１、ガンマ補正部１２、高輝度圧縮部１３、映像・圧縮情報出力部１４を含む。映像処理装置２０は、映像・圧縮情報取得部２１、高輝度伸張部２２を含む。表示装置３０は、ガンマ補正部３１、表示部３２を含む。
【００１８】
撮像部１１は、被写体の像を撮像面に結像させる光学系と、撮像面に結像された像を映像信号（映像データ）に変換する撮像素子（ＣＣＤ（Charge-Coupled Device）イメージセンサ、ＣＭＯＳ（Complementary Metal Oxide Semiconductor）イメージセンサなど）と、撮像素子を含む。ガンマ補正部１２は、撮像部１１の撮像素子が出力した映像信号における各画素の輝度レベルにガンマ補正をかける。なお、ガンマ補正部１２によるガンマ補正は、ブラウン管などの表示デバイスが持つ特性（輝度レベル特性）を打ち消すための補正であり、本実施形態では、ガンマ値γ＝１／２．２のガンマ補正であるが、ガンマ値は、その他の値であってもよい。また、表示デバイスの特性を打ち消すだけでなく、所望の特性を得るためのガンマ補正以外の補正であってもよい。
【００１９】
また、本実施形態および以降の各実施形態において、輝度レベルは、各画素が輝度値と色差値とで表される映像信号（ＹＣｂＣｒ信号など）における輝度値のレベルであってもよい。あるいは、各画素が赤、緑、青などの原色の輝度値で表される映像信号（ＲＧＢ信号など）における各原色の輝度値のレベルであってもよい。あるいは、各画素が輝度値のみで表されるモノクロの映像信号における輝度値のレベルであってもよい。
【００２０】
高輝度圧縮部１３は、ガンマ補正部１２によりガンマ補正された映像信号の高輝度部分の輝度レベルを圧縮する。これにより、高輝度圧縮部１３は、映像信号の輝度レベルの値を所定の範囲（例えば、０．０から１．０）に収まるようにしている。高輝度圧縮部１３による高輝度部分の輝度レベルの圧縮は、例えば、テレビジョンカメラが有するＫＮＥＥ機能による圧縮である。なお、高輝度圧縮部１３における高輝度部分の輝度レベルの下限値ＫＰ、輝度レベルの圧縮の圧縮率ＫＳは、撮像装置１０のユーザにより設定可能であってもよい。ＫＮＥＥ機能においては、下限値ＫＰは、ＫＮＥＥ  ＰＯＩＮＴ、圧縮率ＫＳは、ＫＮＥＥ  ＳＬＯＰＥとも呼ばれる。なお、上述した所定の範囲は、例えば、映像信号の規格により決められた輝度レベルの範囲であり、表示装置３０が受け付ける輝度レベルの範囲もしくはそれよりも狭い範囲である。また、ＲＧＢ信号など、各画素が複数の輝度レベルで表される映像信号であるときは、高輝度圧縮部１３は、これら複数の輝度レベル各々の高輝度部分の輝度レベルを圧縮してもよい。このとき、複数の輝度レベル各々で、高輝度部分の輝度レベルの下限値ＫＰおよび／もしくは輝度レベルの圧縮の圧縮率ＫＳが異なっていても良いし、同じであってもよい。
【００２１】
映像・圧縮情報出力部１４は、高輝度圧縮部１３により高輝度部分の輝度レベルが圧縮された映像信号と、高輝度圧縮部１３による輝度レベルの圧縮に関する情報とを出力する。輝度レベルの圧縮に関する情報は、例えば、上述した下限値ＫＰを表す情報と、圧縮率ＫＳを表す情報とのいずれか、もしくは、両方である。なお、下限値ＫＰを表す情報は、例えば、ＫＮＥＥ機能におけるＫＮＥＥ  ＰＯＩＮＴ（ニーポイント）であり、圧縮率ＫＳを表す情報は、例えば、ＫＮＥＥ機能におけるＫＮＥＥ  ＳＬＯＰＥ（ニースロープ）である。
【００２２】
映像・圧縮情報取得部２１は、映像・圧縮情報出力部１４が出力した映像信号と、輝度レベルの圧縮に関する情報とを取得する。高輝度伸張部２２（圧縮伸張部）は、映像・圧縮情報取得部２１が取得した映像信号に対して、映像・圧縮情報取得部２１が取得した輝度レベルの圧縮に関する情報を参照して、高輝度部分の輝度レベルを伸張する。輝度レベルの圧縮に関する情報を参照することで、高輝度伸張部２２による伸張は、高輝度圧縮部１３による圧縮の逆処理とすることができる。また、この伸張により、映像信号の輝度レベルの値の範囲は、上述した所定の範囲（例えば、０．０から１．０）よりも高輝度側が広がった範囲（例えば、０．０から１．５）となる。
【００２３】
ガンマ補正部３１は、高輝度伸張部２２による高輝度部分の輝度レベルが伸張された映像信号の輝度レベルにガンマ補正をかける。なお、ガンマ補正部３１によるガンマ補正は、表示装置３０の輝度レベル特性を所定の特性とするための補正であり、本実施形態では、ガンマ値γ＝２．２のガンマ補正であるが、ガンマ値は、その他の値であってもよいし、ガンマ補正以外の補正であってもよい。表示部３２は、液晶ディスプレイ、有機ＥＬディスプレイなどを備え、ガンマ補正部３１によりガンマ補正された映像信号に従い、映像を表示する。
【００２４】
図２は、撮像部１１の輝度レベルの入出力特性の例を示すグラフである。本実施形態における撮像部１１の輝度レベルの入出力特性は、入力値が０〜１．５では、入力値がそのまま出力され、入力値が１．５以上では、１．５が出力されるような特性となっている。
【００２５】
図３は、ガンマ補正部１２の輝度レベルの入出力特性の例を示すグラフである。本実施形態におけるガンマ補正部１２の輝度レベルの入出力特性は、入力値が０〜１．５では、入力値に対してガンマ補正（γ＝１／２．２）された値が出力され、入力値が１．５以上では、１．５に対してガンマ補正された値が出力されるような特性となっている。
【００２６】
図４は、高輝度圧縮部１３の輝度レベルの入出力特性の例を示すグラフである。本実施形態における高輝度圧縮部１３の輝度レベルの入出力特性は、入力値が０〜ＫＰでは、入力値がそのまま出力され、入力値がＫＰ以上では、入力値Ｙｉに対して、Ｙｏ＝ＫＰ＋ＫＳ×（Ｙｉ−ＫＰ）により算出される値Ｙｏが出力されるような特性となっている。ＫＰは、圧縮される高輝度部分の輝度レベルの下限値であり、ＫＳは、輝度レベルの圧縮の圧縮率である。なお、輝度レベルの下限値ＫＰと、輝度レベルの圧縮の圧縮率ＫＳとの組み合わせは、ガンマ補正部１２による出力の上限値が１．０以下となる組み合わせであることが望ましい。
【００２７】
図５は、撮像装置１０の輝度レベルの入出力特性の例を示すグラフである。撮像装置１０の輝度レベルの入出力特性は、撮像部１１、ガンマ補正部１２、高輝度圧縮部１３の入出力特性を合成した特性となる。したがって、出力値０からＫＰまでは、ガンマ補正された値であり、出力値ＫＰから１．０までは、ガンマ補正された後に、輝度レベルの圧縮により、圧縮された値となっている。
【００２８】
図６は、高輝度伸張部２２の輝度レベルの入出力特性の例を示すグラフである。本実施形態における高輝度伸張部２２の輝度レベルの入出力特性は、映像・圧縮情報取得部２１が取得した、輝度レベルの圧縮に関する情報に基づき決まる。図６に示す例では、入力値が０〜ＫＰでは、入力値がそのまま出力され、入力値がＫＰ以上では、入力値Ｙｉに対して、Ｙｏ＝ＫＰ＋１／ＫＳ×（Ｙｉ−ＫＰ）により算出される値Ｙｏが出力されるような特性となっている。すなわち、高輝度伸張部２２は、高輝度圧縮部１３により圧縮された輝度レベルを元に戻す処理、すなわち高輝度圧縮部１３の逆変換を行う。
【００２９】
なお、高輝度伸張部２２は、映像・圧縮情報取得部２１が輝度レベルの圧縮に関する情報として下限値ＫＰのみを取得している場合には、入力値が１．０のときに、出力値が所定の値Ｙ１となるように、圧縮率ＫＳを推定してもよい。なお、この所定の値Ｙ１は、表示装置３０が受け付け可能な輝度レベルの最大値とすることが望ましい。表示装置３０が受け付け可能な輝度レベルは、例えば、表示部３２が表示可能な輝度レベルの最大値に対して、ガンマ補正部３１によるガンマ補正の逆変換を施した値である。
【００３０】
図７は、ガンマ補正部３１の輝度レベルの入出力特性の例を示すグラフである。本実施形態におけるガンマ補正部３１の輝度レベルの入出力特性は、入力値が０から所定の値Ｙ２では、入力値に対してガンマ補正（γ＝２．２）された値が出力され、入力値が所定の値Ｙ２以上では、所定の値Ｙ２に対してガンマ補正された値が出力されるような特性となっている。すなわち、ガンマ補正部３１は、ガンマ補正部１２によるガンマ補正（γ＝１／２．２）の逆変換を行う。なお、本実施形態では、所定の値Ｙ２は、ガンマ補正（γ＝２．２）されると、表示部３２が表示可能な輝度レベルの最大値（ここでは、１．５）となる値である。
【００３１】
図８は、映像表示システム１００の輝度レベルの入出力特性の例を示すグラフである。映像表示システム１００の輝度レベルの入出力特性は、撮像部１１、ガンマ補正部１２、高輝度圧縮部１３、高輝度伸張部２２、ガンマ補正部３１、表示部３２の入出力特性を合成した特性となる。図８の例では、入力値が０から１．５までは、そのまま出力値となり、入力値が１．５以上では、出力値が１．５となる特性である。このように、映像表示システム１００の入出力特性は、撮像部１１が変換可能な輝度レベルの全ての範囲が、表示部３２により出力されるような特性となっており、高輝度で表示可能な表示部３２の特性を生かすことができている。すなわち、従来よりも良好な、輝度の再現性を得ることが出来る。
【００３２】
なお、本実施形態では、高輝度部分が圧縮された映像信号と、輝度レベルの圧縮に関する情報は、撮像装置１０が提供しているが、これに限らない。例えば、他の撮像装置が生成した映像信号であって、高輝度部分が圧縮された映像信号を解析し、例えば、その輝度レベルの分布から輝度レベルの圧縮に関する情報を推定する映像解析装置が提供してもよい。また、高輝度部分が圧縮された映像信号と、輝度レベルの圧縮に関する情報とは、撮像部１１を備えた撮像装置１０により提供されるのではなく、コンピュータグラフィックを算出する映像生成装置により提供されてもよい。
【００３３】
このように、本実施形態の映像処理装置２０は、映像信号（映像データ）における輝度レベルの圧縮に関する情報に基づき、映像信号における輝度レベルの圧縮を伸張する。これにより、この映像信号により映像を表示したときに、従来よりも良好な、輝度の再現性を得ることが出来る。
【００３４】
［第２の実施形態］
以下、図面を参照して、本発明の第２の実施形態について説明する。図９は、本実施形態による映像表示システム１００ａの構成を示す概略ブロック図である。図９において、図１の各部に対応する部分には同一の符号を付し、説明を省略する。映像表示システム１００ａは、表示装置３０に替えて、表示装置３０ａを含む。表示装置３０ａは、ガンマ補正部３１、パネル補正部３３ａ、パネル制御部３４ａ、エリアアクティブ制御部３５ａ、バックライト駆動部３６ａ、パネル部３７ａを含む。本実施形態における表示装置３０ａは、表示面を複数のエリアに分割し、バックライトの輝度をエリアによって変える、エリアアクティブ制御をする。このエリアアクティブ制御をする際に、表示装置３０ａは、ガンマ補正部３１によりガンマ補正されていない映像信号を用いる点が第１の実施形態とは異なる。
【００３５】
パネル補正部３３ａは、ガンマ補正部３１によりガンマ補正された映像信号に対して、パネル部３７ａの入出力特性にあわせたときに所望の特性となるような補正を加える。パネル制御部３４ａは、パネル補正部３３ａにより補正が加えられた映像信号に従い、パネル部３７ａの液晶パネルを制御する。エリアアクティブ制御部３５ａは、高輝度伸張部２２により高輝度部分が伸張された映像信号に基づき、パネル部３７ａの各エリアのバックライトの輝度を決定する。バックライト駆動部３６ａは、エリアアクティブ制御部３５ａが決定した輝度に基づき、パネル部３７ａの各エリアのバックライトを駆動する。パネル部３７ａは、液晶パネルと、バックライトとを有し、映像を表示する。
本実施形態においても、第１の実施形態と同様に、従来よりも良好な輝度の再現性を得ることができる。
【００３６】
［第３の実施形態］
以下、図面を参照して、本発明の第３の実施形態について説明する。図１０は、本実施形態による映像表示システム１００ｂの構成を示す概略ブロック図である。図１０において、図９の各部に対応する部分には同一の符号を付し、説明を省略する。映像表示システム１００ｂは、表示装置３０aに替えて、表示装置３０ｂを含む。表示装置３０ｂは、表示装置３０ａとは、ガンマ補正部３１がガンマ補正を施す映像信号が、映像・圧縮情報取得部２１が取得した映像信号である点のみが異なる。
本実施形態においても、第１の実施形態と同様に、従来よりも良好な輝度の再現性を得ることができる。
【００３７】
［第４の実施形態］
以下、図面を参照して、本発明の第４の実施形態について説明する。図１１は、本実施形態による映像表示システム１００ｃの構成を示す概略ブロック図である。図１１において、図１０の各部に対応する部分には同一の符号を付し、説明を省略する。映像表示システム１００ｃは、撮像装置１０ｃと、表示装置３０ｂとを含む。撮像装置１０ｃは、図１０の撮像装置１０とは、映像・圧縮情報出力部１４に替えて、高輝度圧縮映像出力部１４ｃと高輝度保持映像出力部１５ｃとを含む。
【００３８】
高輝度圧縮映像出力部１４ｃは、高輝度圧縮部１３により高輝度部分が圧縮された映像信号を出力する。高輝度保持映像出力部１５ｃは、撮像部１１が生成した映像信号を出力する。すなわち、高輝度保持映像出力部１５ｃは、ガンマ補正部１２によるガンマ補正も、高輝度圧縮部１３による高輝度部分の圧縮もされていない映像信号を出力する。ガンマ補正部３１は、高輝度圧縮映像出力部１４ｃが出力した映像信号に対して、ガンマ補正を施す。エリアアクティブ制御部３５ａは、高輝度保持映像出力部１５ｃが出力した映像信号を用いて、エリアアクティブの制御を行う。
【００３９】
なお、高輝度保持映像出力部１５ｃは、ガンマ補正部１２によりガンマ補正が施された映像信号を出力してもよい。
本実施形態においても、第１の実施形態と同様に、従来よりも良好な輝度の再現性を得ることができる。
【００４０】
［第５の実施形態］
以下、図面を参照して、本発明の第５の実施形態について説明する。図１２は、本実施形態による映像表示システム１００ｄの構成を示す概略ブロック図である。図１２において、図１１の各部に対応する部分には同一の符号を付し、説明を省略する。映像表示システム１００ｄは、映像生成装置１０ｄと、表示装置３０ｂとを含む。映像生成装置１０ｄは、図１１の撮像装置１０ｃとは、撮像部１１、ガンマ補正部１２、高輝度圧縮部１３に替えて、ＣＧ（コンピュータグラフィックス）生成部１６ｄを含む点が異なる。ＣＧ生成１６ｄは、高輝度部分が圧縮された映像信号を高輝度圧縮映像出力部１４ｃに入力し、高輝度部分が圧縮されていない映像信号を高輝度保持映像出力部１５ｃに入力する。
本実施形態においても、第１の実施形態と同様に、従来よりも良好な輝度の再現性を得ることができる。
【００４１】
［第６の実施形態］
以下、図面を参照して、本発明の第６の実施形態について説明する。本実施形態における映像表示システム１００は、図１における映像表示システム１００と同様であるが、映像・圧縮情報出力部１４の構成と、映像・圧縮情報取得部２１の構成とが異なる。図１３は、本実施形態に係る映像・圧縮情報出力部１４の構成を示す概略ブロック図である。
【００４２】
映像・圧縮情報出力部１４は、放送番組データとサービス情報とを多重化し、多重化した多重化データを放送波で送信する送信装置である。本実施形態では、放送番組データとして、高輝度圧縮部１３により高輝度部分の輝度レベルが圧縮された映像信号Ｍが映像・圧縮情報出力部１４に入力される。映像・圧縮情報出力部１４は、放送コンテンツ取得部１４１、圧縮情報取得部１４２、ＳＩ（Service Information、サービス情報）生成部１４３、多重化部１４４、変調部１４５、送信部１４６を含む。
【００４３】
放送コンテンツ取得部１４１は、高輝度圧縮部１３により高輝度部分の輝度レベルが圧縮された映像信号Ｍを含む放送番組データを取得する。放送番組データは、放送番組の内容（コンテンツ）を表すデータである。放送番組データは、例えば、放送番組で提供される映像データ、音声データなどが含まれる。放送コンテンツ取得部１４１は、取得した放送番組データを多重化部１４４に出力する。なお、放送コンテンツ取得部１４１は、映像信号Ｍを、ＭＰＥＧ−２、ＭＰＥＧ−４  ＡＶＣ／Ｈ．２６４、Ｈ．２６５などの符号化方式で、圧縮符号化してもよい。
【００４４】
圧縮情報取得部１４２は、高輝度圧縮部１３による輝度レベルの圧縮に関する情報を取得する。圧縮情報取得部１４２は、例えば、この輝度レベルの圧縮に関する情報を、送出タイミングを示す情報あるいは放送番組を示す情報とともに記憶しており、ＳＩ生成部１４３に入力する。ＳＩ生成部１４３は、圧縮情報取得部１４２から入力された輝度レベルの圧縮に関する情報を含むサービス情報を生成する。サービス情報とは、放送番組の提供形態、構成など放送サービスの提供に関する情報である。
【００４５】
サービス情報は、例えば、ＭＭＴ方式におけるＭＭＴ−ＳＩ（Ｓｅｒｖｉｃｅ  Ｉｎｆｏｒｍａｔｉｏｎ）である。ＭＭＴ−ＳＩ情報には、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。ＭＰＴは、放送番組の構成要素であるアセット、つまり映像、音声のリストや、それらの提供条件を示す情報を含むテーブルである。ＭＨ−ＥＩＴは、番組に関する情報、例えば、番組の名称、放送日時、放送内容の説明などを示す情報を含むテーブルである。輝度レベルの圧縮に関する情報や、放送される映像の輝度情報を示す輝度フラグは、例えば、ＭＰＴに含まれる。言い換えれば、輝度フラグは、輝度範囲がＨＤＲ（High Dynamic Range）であるかＳＤＲ（Standard Dynamic Range）であるかを示す。
【００４６】
ＳＩ生成部１４３は、取得したサービス情報を所定時間（例えば、０．１〜０．５ｍｓ）毎に多重化部１４４に出力する。サービス情報は、番組の進行に応じて更新されるが、更新されない場合には、同一のサービス情報が複数回繰り返されることがある。これにより、放送波を受信した装置は、任意の時点で受信した放送信号に基づいて放送番組を提示することができる。
【００４７】
多重化部１４４は、ＳＩ生成部１４３から入力されたサービス情報と、放送コンテンツ取得部１４１から入力された放送番組データとを多重化して多重化データを生成する。多重化部１４４は、生成した多重化データを変調部１４５に出力する。
変調部１４５は、多重化部１４４から入力された多重化データを変調して所定の放送周波数帯域を有する放送信号を生成し、生成した放送信号を送信部１４６に出力する。
送信部１４６は、変調部１４５から入力された放送信号を放送波ＢＴとして、放送伝送路に出力する。これにより、放送番組データとサービス情報を多重化した多重化データを搬送する放送信号が放送伝送路を介して伝送される。なお、送信部１４６は、放送信号を放送波ではなく、光信号として光ファイバーケーブルに出力してもよいし、電気信号として同軸ケーブルやツイストペアケーブルに出力してもよい。
【００４８】
図１４は、本実施形態に係る映像圧縮情報取得部２１の構成を示す概略ブロック図である。映像圧縮情報取得部２１は、送信装置である映像・圧縮情報出力部１４が出力した放送波ＢＴを受信する受信装置である。映像圧縮情報取得部２１は、放送受信部２１１、分離部２１２、復号部２１３、ＳＩ処理部２１４を含む。
【００４９】
放送受信部２１１は、放送伝送路を介して映像・圧縮情報出力部１４から伝送された放送波ＢＴを受信し、復調する。放送受信部２１１は、例えば、放送波を受信するチューナーを含んで構成される。チューナーは、選局信号で指定されたチャンネルに対応した周波数帯域の放送波を受信する。分離部２１２は、放送受信部２１１が受信し、復調した結果を、符号化された映像信号と、サービス情報とに分離する。
【００５０】
復号部２１３は、分離部２１２が分離した映像信号を復号する。復号部２１３は、この復号結果である映像信号Ｄを、高輝度伸張部２２に出力する。ＳＩ処理部部２１４は、分離部２１２が分離したサービス情報を処理する。本実施形態では、ＳＩ処理部２１４は、サービス情報のうち、ＭＰＴに格納されている、輝度レベルの圧縮に関する情報（圧縮情報Ｃ）を抽出し、高輝度伸張部２２に出力する。
【００５１】
図１５は、ＭＰＴのデータ構造の一例を示す図である。ＭＰＴは、アセットタイプ（ａｓｓｅｔ＿ｔｙｐｅ）と、アセット記述子領域（ａｓｓｅｔ＿ｄｅｓｃｒｉｐｔｏｒｓ＿ｂｙｔｅ）をアセット毎に含んで構成される。アセットタイプ（ａｓｓｅｔ＿ｔｙｐｅ）は、アセットの種類を示す情報である。例えば、アセットタイプとして「ｈｖｃ１」が記述されるアセットは映像を示し、アセットタイプとして「ｍｐ４ａ」が記述されるアセットは音声を示す。
アセット記述子領域は、アセットについての情報を記述する記述子を格納する領域である。アセット記述子領域には、例えば、映像コンポーネント記述子（Ｖｉｄｅｏ＿Ｃｏｍｐｏｎｅｎｔ＿Ｄｅｓｃｒｉｐｔｏｒ）が記述される。
【００５２】
図１６は、映像コンポーネント記述子のデータ構造の一例を示す図である。映像コンポーネント記述子は、映像コンポーネント記述子は、映像コンポーネントに関するパラメータや説明を示す記述子。映像コンポーネント記述子には、未使用パラメータ（ｒｅｓｅｒｖｅｄ）と、コンポーネント記述（ｔｅｘｔ＿ｃｈａｒ）とを含む。本実施形態では、コンポーネント記述（ｔｅｘｔ＿ｃｈａｒ）に、輝度レベルの圧縮に関する情報が記述される。また、未使用パラメータ（ｒｅｓｅｒｖｅｄ）と、コンポーネント記述（ｔｅｘｔ＿ｃｈａｒ）のいずれかに輝度情報として輝度フラグが記述される。輝度フラグにより、放送される映像の輝度範囲がＨＤＲであるかＳＤＲであるかが指定される。
【００５３】
輝度フラグ（ｖｉｄｅｏ＿ｈｄｒ＿ｆｌａｇ）は、１ビットの情報を有し、１又は０の値をとりうる。値が０であることは、輝度範囲がＳＤＲであり、値が１であることは、輝度範囲がＨＤＲであることを示す。輝度フラグで指定される輝度範囲は、放送番組、１つの放送番組を構成するセグメント（コーナーとも呼ばれる）、１つの放送番組に含まれるＣＭ、などのそれぞれについて設定されることがある。
【００５４】
図１７は、輝度レベルの圧縮に関する情報の例を示す表である。図１７の例では、映像コンポーネント記述子のコンポーネント記述に、図１７に示すvideo_knee_pointと、video_knee_slopeが記述される。video_knee_pointは、高輝度圧縮部１３における高輝度部分の輝度レベルの下限値ＫＰを表す値であり、video_knee_slopeは、輝度レベルの圧縮の圧縮率ＫＳを表す値である。video_knee_pointは、高輝度圧縮部１３へ入力される映像信号における輝度レベルの範囲を０〜１０２３としたときのＫＮＥＥ  ＰＯＩＮＴを表す値である。なお、video_knee_pointは、高輝度圧縮部１３が出力する映像信号における輝度レベルの範囲を０〜１０２３としたときのＫＮＥＥ  ＰＯＩＮＴを表す値であってもよい。video_knee_slopeは、ｙ／ｘで表現され、例えば、傾き１は２５５、２５５となり、傾き０．１は、２５、２５０となる。
【００５５】
なお、上述の各実施形態において、映像信号は、動画像を表す映像信号であってもよいし、静止画像を表す映像信号であってもよい。また、映像信号は、ＲＧＢ信号などの各原色の輝度レベルを表す映像信号であってもよいし、ＹＣｂＣｒ信号などの輝度値と色差値とを表す映像信号であってもよい。
【００５６】
また、図１、図９、図１０、図１１、図１２、図１３、図１４における各部の機能を実現するためのプログラムをコンピュータ読み取り可能な記録媒体に記録して、この記録媒体に記録されたプログラムをコンピュータシステムに読み込ませ、実行することにより各部を実現してもよい。なお、ここでいう「コンピュータシステム」とは、ＯＳや周辺機器等のハードウェアを含むものとする。
【００５７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５８】
また、上述した図１、図９、図１０、図１１、図１２、図１３、図１４における各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００５９】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００６０】
１０、１０ｃ…撮像装置
１０ｄ…映像生成装置
１１…撮像部
１２…ガンマ補正部
１３…高輝度圧縮部
１４…映像・圧縮情報出力部
１４ｃ…高輝度圧縮映像出力部
１５ｃ…高輝度保持映像出力部
１６ｄ…ＣＧ生成部
２０…映像処理装置
２１…映像・圧縮情報取得部
２２…高輝度伸張部
３０、３０ａ、３０ｂ…表示装置
３１…ガンマ補正部
３２…表示部
３３ａ…パネル補正部
３４ａ…パネル制御部
３５ａ…エリアアクティブ制御部
３６a…バックライト駆動部
３７ａ…パネル部
１００、１００a、１００ｂ、１００ｃ、１００ｄ…映像表示システム
１４１…放送コンテンツ取得部
１４２…圧縮情報取得部
１４３…ＳＩ生成部
１４４…多重化部
１４５…変調部
１４６…送信部
２１１…放送受信部
２１２…分離部
２１３…復号部
２１４…ＳＩ処理部
【図１】
0006628400.tif 000002
【図２】
0006628400.tif 000003
【図３】
0006628400.tif 000004
【図４】
0006628400.tif 000005
【図５】
0006628400.tif 000006
【図６】
0006628400.tif 000007
【図７】
0006628400.tif 000008
【図８】
0006628400.tif 000009
【図９】
0006628400.tif 000010
【図１０】
0006628400.tif 000011
【図１１】
0006628400.tif 000012
【図１２】
0006628400.tif 000013
【図１３】
0006628400.tif 000014
【図１４】
0006628400.tif 000015
【図１５】
0006628400.tif 000016
【図１６】
0006628400.tif 000017
【図１７】
0006628400.tif 000018